(57)【特許請求の範囲】
【請求項１】
吐出口から液体を吐出させるために利用されるエネルギーを発生させるエネルギー発生素子が設けられた記録素子基板と、
複数のコンタクトパッドが並設された電気配線部材と、を備え、
前記複数のコンタクトパッドは、前記エネルギー発生素子を駆動するための電源が供給される第１のコンタクトパッドと、前記第１のコンタクトパッドよりも静電容量が低く、且つ、全ての前記コンタクトパッドを含むコンタクト領域内の前記複数のコンタクトパッドのうち外周側に設けられた第２のコンタクトパッドとを含み、
前記電気配線部材は、前記記録素子基板のグランドと接続され、前記第２のコンタクトパッドの外側に線状に延びるガードパッドをさらに有し、
前記複数のコンタクトパッドが並ぶ第１の方向および前記第１の方向と交わる第２の方向の少なくともいずれかにおいて、前記第２のコンタクトパッドと前記ガードパッドとの間の距離は、隣接するコンタクトパッドの間の距離よりも短いことを特徴とする、液体吐出ヘッド。
【請求項２】
吐出口から液体を吐出させるために利用されるエネルギーを発生させるエネルギー発生素子が設けられた記録素子基板と、
複数のコンタクトパッドが並設された電気配線部材と、を備え、
前記複数のコンタクトパッドは、前記エネルギー発生素子を駆動するための電源が供給される第１のコンタクトパッドと、前記第１のコンタクトパッドよりも静電容量が低く、且つ、全ての前記コンタクトパッドを含むコンタクト領域内の前記複数のコンタクトパッドのうち外周側に設けられた第２のコンタクトパッドとを含み、
前記電気配線部材は、前記記録素子基板のグランドと接続され、前記第２のコンタクトパッドの外側に線状に延びるガードパッドをさらに有し、
前記第２のコンタクトパッドは、前記記録素子基板の回路および配線を覆う保護膜と電気的に接続されていることを特徴とする、液体吐出ヘッド。
【請求項３】
前記第２のコンタクトパッドは、前記エネルギー発生素子の動作を検査するための検査用のコンタクトパッドを含む、請求項１または２に記載の液体吐出装置。
【請求項４】
前記ガードパッドは、前記コンタクト領域を取り囲むように設けられる、請求項１から３のいずれか１項に記載の液体吐出ヘッド。
【請求項５】
前記ガードパッドは、前記コンタクト領域を取り囲む矩形状に設けられる、請求項４に記載の液体吐出ヘッド。
【請求項６】
前記電気配線部材は、複数の前記ガードパッドを有し、
前記複数のガードパッドは、前記コンタクト領域を取り囲む矩形状の四辺を形成する、請求項４に記載の液体吐出ヘッド。
【請求項７】
前記複数のコンタクトパッドは、千鳥状に配置されており、
前記ガードパッドは、前記コンタクト領域に沿って設けられる、請求項４に記載の液体吐出ヘッド。
【請求項８】
前記ガードパッドは、前記第２のコンタクトパッドの３方向を囲むように設けられる、請求項１から３のいずれか１項に記載の液体吐出ヘッド。
【請求項９】
前記複数のコンタクトパッドは、第１の方向に並んで設けられており、
前記ガードパッドは、前記第１の方向と交わる第２の方向に直線状に設けられ、
前記第２の方向において、前記ガードパッドの長さは、前記第２のコンタクトパッドの長さよりも長い、請求項１から３のいずれか１項に記載の液体吐出ヘッド。
【請求項１０】
前記複数のコンタクトパッドは、前記第１の方向に複数個並んだコンタクトパッドの列が、前記第２の方向に複数並んでおり、
前記ガードパッドは、複数列の前記コンタクトパッドに渡って前記第２の方向に延びる直線状に設けられ、
前記第２の方向において、前記ガードパッドの長さは、複数の前記第２のコンタクトパッドが設けられた領域の幅よりも長い、請求項９に記載の液体吐出ヘッド。
【請求項１１】
前記第２のコンタクトパッドは、前記記録素子基板の回路および配線を覆う保護膜と電気的に接続されている、請求項１に記載の液体吐出ヘッド。
【請求項１２】
請求項１から１１のいずれか１項に記載の液体吐出ヘッドを備えることを特徴とする、液体吐出装置。
【請求項１３】
前記複数のコンタクトパッドは、前記液体吐出装置の本体と電気的に接続されるコンタクトパッドを含み、
前記ガードパッドは、前記本体と電気的に接続されない、請求項１２に記載の液体吐出装置。
【発明の詳細な説明】
【技術分野】
【０００１】
本発明は、インクなどの液体を吐出する液体吐出ヘッドおよび液体吐出装置に関する。
【背景技術】
【０００２】
液体吐出ヘッドは、吐出口から液体を吐出するために利用されるエネルギーを発生させるエネルギー発生素子が設けられた素子基板を備えており、液体吐出装置の本体に搭載して用いられる。このような液体吐出ヘッドは、通常、液体吐出装置の本体から供給される電源や信号を用いてエネルギー発生素子を駆動している。液体吐出ヘッドと液体吐出装置の本体との間は、液体吐出ヘッドに設けられたコンタクトパッドに対して、液体吐出装置の本体側に設けられたコンタクトピンが接触することによって、電気的に接続される。
コンタクトパッドは、エネルギー発生素子を駆動するための電源が供給される電源コンタクトパッド（ＶＨ、ＧＮＤＨなど）と、エネルギー発生素子を駆動するための信号が供給される信号コンタクトパッド（ＤＡＴＡ、ＣＬＫなど）とを含む。これらのコンタクトパッドは、それぞれ静電容量が異なり、静電容量が低いコンタクトパッドは静電耐性が低く、静電気が発生すると液体吐出ヘッドが電気的に破壊される静電破壊が生じやすいという課題があった。例えば液体吐出ヘッドを液体吐出装置の本体に取り付ける際には、液体吐出ヘッドが使用者の手に触れると静電気が発生することがあり、発生した静電気が静電耐性が低い部位に導かれると、静電破壊が生じる可能性がある。
このような課題に対して、特許文献１には、静電容量が低いコンタクトパッドと隣接して、静電容量の高いコンタクトパッドを配置する液体吐出ヘッドが開示されている。この構成により、静電容量が低いコンタクトパッドの付近で静電気が生じた場合であっても、静電容量の高いコンタクトパッドに静電気が誘導される。このため、液体吐出ヘッドの静電破壊を抑制することができる。
【先行技術文献】
【特許文献】
【０００３】
【特許文献１】特開２００６−１５７３３号公報
【発明の概要】
【発明が解決しようとする課題】
【０００４】
しかしながら、特許文献１に記載の液体吐出ヘッドでは、複数のコンタクトパッドが配置されるコンタクト領域の外周部に静電容量の低いコンタクトパッドが配置されているため、この部分に静電気が発生すると、静電破壊が生じる可能性があった。静電破壊を抑制するためには、静電容量の低いコンタクトパッドの四方を静電容量の高いコンタクトパッドで覆うことがより好ましい。しかしながらこの場合、コンタクトパッドの配置自由度が低下してしまい、コンタクト領域の外周側に配置することが好ましいコンタクトパッドも外周側に配置することができなくなる場合がある。
コンタクト領域の外周側に配置することが好ましいコンタクトパッドの一例としては、検査用の信号を受け付ける検査用のコンタクトパッドが挙げられる。検査用のコンタクトパッドは、液体吐出装置の本体と電気的に接続する必要がない。液体吐出装置の本体と電気的に接続する必要のあるコンタクトパッドはまとめて配置された方が、液体吐出装置の本体側にコンタクトピンを配置する領域を小さくすることができる。このため、検査用のコンタクトパッドは、コンタクト領域の外周側に配置することが好ましい。検査用のコンタクトパッドの静電容量が低い場合には、コンタクト領域の外周部に静電気が発生した場合、静電破壊が生じる可能性があった。
本発明の目的は、コンタクトパッドの配置自由度を維持しつつ、コンタクト領域の外周部に静電気が発生した場合にも静電破壊を抑制することが可能な液体吐出ヘッドを提供することである。
【課題を解決するための手段】
【０００５】
本発明による液体吐出ヘッドは、吐出口から液体を吐出させるために利用されるエネルギーを発生させるエネルギー発生素子が設けられた記録素子基板と、複数のコンタクトパッドが並設された電気配線部材と、を備え、前記複数のコンタクトパッドは、前記エネルギー発生素子を駆動するための電源が供給される第１のコンタクトパッドと、前記第１のコンタクトパッドよりも静電容量が低く、且つ、全ての前記コンタクトパッドを含むコンタクト領域内の前記複数のコンタクトパッドのうち外周側に設けられた第２のコンタクトパッドとを含み、前記電気配線部材は、前記記録素子基板のグランドと接続され、前記第２のコンタクトパッドの外側に線状に延びるガードパッドをさらに有し、前記複数のコンタクトパッドが並ぶ第１の方向および前記第１の方向と交わる第２の方向の少なくともいずれかにおいて、前記第２のコンタクトパッドと前記ガードパッドとの間の距離は、隣接するコンタクトパッドの間の距離よりも短いことを特徴とする。
あるいは本発明による液体吐出ヘッドは、吐出口から液体を吐出させるために利用されるエネルギーを発生させるエネルギー発生素子が設けられた記録素子基板と、複数のコンタクトパッドが並設された電気配線部材と、を備え、前記複数のコンタクトパッドは、前記エネルギー発生素子を駆動するための電源が供給される第１のコンタクトパッドと、前記第１のコンタクトパッドよりも静電容量が低く、且つ、全ての前記コンタクトパッドを含むコンタクト領域内の前記複数のコンタクトパッドのうち外周側に設けられた第２のコンタクトパッドとを含み、前記電気配線部材は、前記記録素子基板のグランドと接続され、前記第２のコンタクトパッドの外側に線状に延びるガードパッドをさらに有し、前記第２のコンタクトパッドは、前記記録素子基板の回路および配線を覆う保護膜と電気的に接続されていることを特徴とする。
また、本発明による液体吐出装置は、上記の液体吐出ヘッドを備えることを特徴とする。
【発明の効果】
【０００６】
本発明によれば、コンタクトパッドの配置自由度を維持しつつ、コンタクト領域の外周部に静電気が発生した場合にも静電破壊を抑制することが可能である。
【図面の簡単な説明】
【０００７】
【図１】液体吐出ヘッドの斜視図である。
【図２】電気配線基板の構成図である。
【図３】ガードパッドの配置例を示す図である。
【発明を実施するための形態】
【０００８】
以下、本発明の実施形態について添付の図面を参照して説明する。なお、本明細書および図面において、同一の機能を有する構成要素については同じ符号を付することにより重複説明を省略する場合がある。
【０００９】
（液体吐出ヘッドの構成）
図１は、本発明が適用される液体吐出ヘッド１の斜視図である。液体吐出ヘッド１は、図示しない液体吐出装置の本体に設けられたキャリッジに取り外し可能に保持される。液体吐出ヘッド１は、記録素子基板２と、電気配線部材３とを有する。
記録素子基板２は、吐出口（図示せず）からインク等の液体を吐出するために利用されるエネルギーを発生させるためのエネルギー発生素子（図示せず）を複数備える。エネルギー発生素子は、液体吐出技術で提案される各種の素子であってよく、例えば電気エネルギーを熱エネルギーまたは機械エネルギーに変換する素子である。記録素子基板２上には、エネルギー発生素子に電力を供給する配線や各種の回路が形成されていてもよく、これら配線および回路を覆う保護膜が形成されている。
電気配線部材３は、液体吐出ヘッド１を搭載可能な液体吐出装置の本体と記録素子基板２とを電気的に接続するための部材であり、電気配線基板３ａと、電気接続部３ｂとを含む。電気配線基板３ａには、複数のコンタクトパッド５が並設されている。液体吐出装置の本体には、液体吐出ヘッド１と電気的に接続するための電気接続部材が設けられており、この電気接続部材が、コンタクトパッド５と接点を取ることにより、液体吐出装置の本体と液体吐出ヘッド１とが電気的に接続される。電気配線部材３は、液体吐出装置の本体から、エネルギー発生素子を駆動するための電源や信号の供給を受けて、供給された電源や信号を記録素子基板２に供給する。
【００１０】
（電気配線部材の概略構成）
図２は、電気配線部材３の電気配線基板３ａの構成を示す図である。図２（ａ）に示すように、電気配線基板３ａ上には、複数のコンタクトパッド５が複数の列をなして千鳥状に設けられている。これらのコンタクトパッド５は、エネルギー発生素子を駆動するための電源（ＶＨ，ＧＮＤＨ）が供給されるコンタクトパッド（以下、第１のコンタクトパッドと称する）を含む。またコンタクトパッド５は、エネルギー発生素子を駆動するための信号（ＤＡＴＡ，ＣＬＫ）が供給されるコンタクトパッドを含む。またこれらのコンタクトパッド５は、液体吐出ヘッド１に電気的な不具合がないか製造工程の中で出荷前にエネルギー発生素子の動作を検査するための検査用の信号が供給される検査用のコンタクトパッドを含んでもよい。以下、全てのコンタクトパッド５を含む最小面積の領域をコンタクト領域４と称する。さらに、第１のコンタクトパッドよりも静電容量が低い低容量コンタクトパッドであって、且つ、コンタクト領域内の複数のコンタクトパッドのうち外周側に配置されたコンタクトパッド５を第２のコンタクトパッド７と称して、その他のコンタクトパッド６と区別する。なお、本明細書では、第２のコンタクトパッド７およびその他のコンタクトパッド６をそれぞれ区別する必要がない場合には、まとめてコンタクトパッド５と称する。
コンタクト領域４の外周部に配置することが好ましいコンタクトパッドの一例としては、検査用の信号を受け付ける検査用のコンタクトパッドが挙げられる。検査用のコンタクトパッドは、液体吐出装置の本体と電気的に接続する必要がない。液体吐出装置の本体と電気的に接続する必要のあるコンタクトパッドはまとめて配置された方が、液体吐出装置の本体側にコンタクトピンを配置する領域を小さくすることができる。このため、検査用のコンタクトパッドは、コンタクト領域４の外周部に配置することが好ましい。しかしながら、検査用のコンタクトパッドは、図１に示した記録素子基板２の表層に形成された保護膜と電気的に接続されている場合がある。この保護膜は、一般的に静電容量が低く、静電耐性が低い。このため、検査用のコンタクトパッドは、静電気が検査用のコンタクトパッドに導かれないように静電気から保護されることが好ましい。
電気配線基板３ａは、第２のコンタクトパッド７を静電気から保護するためのガードパッド８をさらに有する。ガードパッド８は、図１に示した記録素子基板２のグランドに接続されており、液体吐出装置の本体と電気的に接続されていない。ガードパッド８は、静電容量が高く、静電耐性が高い。したがってガードパッド８に静電気が誘導された場合、静電破壊が生じる可能性が極めて低い。したがって、第２のコンタクトパッド７に静電気が誘導されることを抑制するために、第２のコンタクトパッド７の外側に線状に延びるガードパッド８が電気配線基板３ａ上に配置される。図２（ａ）では、コンタクト領域４の外周部に設けられたコンタクトパッド５のうちコンタクト領域４が突出した部分に配置されている６つのコンタクトパッド５が全て静電容量が低い第２のコンタクトパッド７である場合について示されている。図２（ｂ）に示すように、突出して配置されたコンタクトパッドであっても、静電容量が高い場合には、第２のコンタクトパッド７に該当しない。この場合、突出して配置された３つのコンタクトパッドのうち、第２のコンタクトパッド７に該当する１つの外側にのみガードパッド８を配置してもよい。
【００１１】
（ガードパッドの配置例）
図３は、ガードパッド８の配置例を示す図である。
図３（ａ）は、ガードパッド８の第１の配置例を示している。この例において、ガードパッド８は、コンタクト領域を取り囲むように設けられており、図３（ａ）の例ではガードパッド８は矩形状である。電気配線基板３ａに静電気が発生する主な場面としては、この電気配線基板３ａが設けられた液体吐出ヘッド１（図１参照）を液体吐出装置の本体から着脱する場面が挙げられる。液体吐出ヘッド１を液体吐出装置の本体から着脱する場合、使用者が手で液体吐出ヘッドを持って行うことが多い。このときに、使用者の手と液体吐出ヘッドのうち使用者の手が触れる部分との間で静電気が発生することがある。図１を参照するとわかるように、液体吐出ヘッド１を手で持つ場合、電気配線基板３ａのコンタクト領域の外側に触れる可能性が高い。第１の配置例では、コンタクト領域を取り囲むようにガードパッド８が設けられているため、使用者がコンタクト領域の外側のどの部分を持ったとしても、発生した静電気をガードパッド８に誘導することができ、静電破壊を抑制することが可能である。また、低容量コンタクトパッドをコンタクト領域の内側に配置する必要がなくなるため、コンタクトパッド５の配置自由度が向上する。ここで、複数のコンタクトパッド５が並ぶ第１の方向Ｘにおいて、ガードパッド８と第２のコンタクトパッド７との間の距離Ｘ２は、隣接するコンタクトパッド５間の距離Ｘ１よりも短いことが好ましい。第１の方向Ｘと交わる（図３では直交する）第２の方向Ｙにおいても同様に、ガードパッド８と第２のコンタクトパッド７との間の距離Ｙ２は、隣接するコンタクトパッド５間の距離Ｙ１よりも短いことが好ましい。このような構成により、ガードパッド８によって静電気から保護することができる領域を拡大することができる。
【００１２】
図３（ｂ）は、ガードパッド８の第２の配置例を示している。この例において、電気配線基板３ａには、互いに分離した複数のガードパッド８が設けられている。複数のガードパッド８は、コンタクト領域を取り囲むように配置されている。図３（ｂ）の例では、４つのガードパッド８は、コンタクト領域を取り囲む矩形状の四辺を形成するように配置されている。このようにガードパッド８は複数設けられてもよい。かかる構成により、第２のコンタクトパッド７を静電気から保護することができる。
【００１３】
図３（ｃ）は、ガードパッド８の第３の配置例を示している。この例において、ガードパッド８は、コンタクト領域の形状に沿ってコンタクト領域を取り囲むように設けられている。この例で示すように、ガードパッド８の形状は矩形状に限らない。コンタクトパッド５が千鳥状に設けられ、第１の方向Ｘにおいて、電気配線基板３ａの端部から第２のコンタクトパッド７までの距離が第２のコンタクトパッド７毎に異なる場合、ガードパッド８を直線状ではなくコンタクト領域に沿って設けることが好ましい。この構成により、ガードパッド８と第２のコンタクトパッド７との間の距離を短くすることができるため、より効果的に第２のコンタクトパッド７を静電気から保護することができる。
【００１４】
図３（ｄ）は、ガードパッド８の第４の配置例を示している。第１〜第３の配置例では、ガードパッド８は、コンタクト領域の全体を取り囲んでいる。第４の配置例では、ガードパッド８は、コンタクト領域の一部を取り囲んでいる。電気配線基板３ａ上にガードパッド８を設けることにより、ガードパッド８を配置する部分の面積の分だけ、電気配線基板３ａのサイズが増大する場合がある。この例では、第２のコンタクトパッド７を静電気から保護する機能は維持しつつ、電気配線基板３ａのサイズの増大を抑制することができる。第４の配置例では、ガードパッド８は、第２のコンタクトパッド７を３方向から取り囲むように設けられている。図１と図３とを合わせて参照するとわかるように、電気配線基板３ａは、第１の方向Ｘにおいて、液体吐出ヘッド１の一側面の全面に渡って設けられており、第２の方向Ｙにおいて、液体吐出ヘッド１の一側面の中心寄りに部分的に設けられている。このため、使用者が液体吐出ヘッド１を手で持つ場合には、第１の方向Ｘの端部に触れる可能性が高い。したがって、第４の配置例では、第１の方向Ｘの外周部にはガードパッド８を設け、第２の方向Ｙの外周部にはガードパッド８を設けていない。この構成により、第２のコンタクトパッド７を静電気から保護する機能は維持しつつ、電気配線基板３ａのサイズの増大を抑制することができる。
【００１５】
図３（ｅ）は、ガードパッド８の第５の配置例を示している。上述の通り、ガードパッド８を設けることにより、電気配線基板３ａのサイズが増大する場合がある。このため、場合によっては、ガードパッド８を部分的に設けることが好まれる。ガードパッド８を部分的に設ける場合、第２のコンタクトパッド７を静電気から保護する機能を維持することができるように、ガードパッド８を配置することが好ましい。例えば図３（ｅ）に示すように、千鳥状にコンタクトパッド５が配置されている場合、第１の方向Ｘの両端部では、コンタクトパッド列によって第１の方向Ｘにおける位置が異なる。このため、第２のコンタクトパッド７と第２の方向Ｙで隣接する部位には、コンタクトパッド５が設けられていない領域が存在している。このような場合、第２の方向Ｙで第２のコンタクトパッド７と隣接するコンタクトパッド６に静電気が誘導されずに静電気が第２のコンタクトパッド７に誘導される可能性が高いため、第１の方向Ｘの両端部の外側には、ガードパッド８を配置することが好ましい。これに対して第１の方向Ｘで第２のコンタクトパッド７と隣接するコンタクトパッド６を静電容量の高いコンタクトパッドとすることは比較的容易である。したがって、第２のコンタクトパッド７の２組の辺のうち、第１の方向Ｘと平行な辺に対してはガードパッド８を設けず、第２の方向Ｙと平行な辺に対してガードパッド８を設けることができる。この場合、第１の方向Ｘで第２のコンタクトパッド７と隣接するコンタクトパッド６は、静電容量の高いコンタクトパッド６であることが好ましい。図３（ｅ）に示す例では、ガードパッド８は、第２のコンタクトパッド７に対して第１の方向Ｘの外側において、第２の方向Ｙに延びる直線状に設けられている。第２の方向Ｙにおいて、ガードパッド８の長さＹguardは、第２のコンタクトパッド７の幅Ｙpadよりも長い。この構成により、第２のコンタクトパッド７を静電気から保護することができる。また、第２の方向Ｙと平行な辺にはガードパッド８が設けられていないため、静電気による電気的な破壊を抑制しつつ、電気配線基板３ａの面積の増大を抑制することが可能になる。
【００１６】
図３（ｆ）は、ガードパッド８の第６の配置例を示している。第５の配置例では、複数の第２のコンタクトパッド７のそれぞれに対して１つのガードパッド８が設けられたが、本発明はかかる例に限定されない。この例において、複数のコンタクトパッド５は、第１の方向Ｘに複数個並んだコンタクトパッドの列が、第２の方向に複数並んでいる。ガードパッド８は、複数の第２のコンタクトパッド７に対して１つ設けられており、複数列のコンタクトパッド５に渡って第２の方向Ｙに延びる直線状に設けられている。この場合においても、第２の方向Ｙにおいて、ガードパッド８の長さＹguardは、複数の第２のコンタクトパッド７が設けられた領域の幅Ｙpadよりも長い。
【００１７】
（変形例）
以上、実施形態を参照して本願発明を説明したが、本願発明は上記実施形態に限定されるものではない。本願発明の構成や詳細には、本願発明の技術的思想の範囲内で当業者が理解し得る様々な変更をすることができる。
例えば、複数のコンタクトパッド５のうち、第２のコンタクトパッド７以外の他のコンタクトパッド６は、全てが、電源コンタクトパッドまたは電源コンタクトパッドと同程度の静電容量の耐静電コンタクトパッドであってもよい。他のコンタクトパッド６に低容量コンタクトパッドが含まれる場合、その低容量コンタクトパッドが耐静電コンタクトパッドにより囲まれるように配置することが望ましい。上記第１〜第３の配置例のように、ガードパッド８がコンタクト領域を取り囲むように設けられている場合には、第２の方向Ｙと平行な外周部に低容量コンタクトパッドが配置されてもよい。しかしながら、第４〜第６の配置例のように、第２の方向Ｙと平行な外周部にガードパッド８が設けられていない場合には、第２の方向Ｙと平行な外周部には、耐静電コンタクトパッドが配置されることが好ましい。特に、第２のコンタクトパッド７と隣接するコンタクトパッドは、耐静電コンタクトパッドが配置されることが好ましい。
また、ガードパッド８は、液体吐出ヘッド１の形状等から、液体吐出ヘッド１を取り外したり取り付けたりする際に使用者の手に触れやすい領域を考慮して配置されることが好ましい。
また、上記実施形態では、ガードパッド８の第１の配置例についてのみ、隣接するコンタクトパッド５間の距離Ｘ１とガードパッド８と第２のコンタクトパッド７との間の距離Ｘ２の大きさについて述べたが、他の配置例についても同様である。第２〜第６の配置例においても第１の配置例と同様に、複数のコンタクトパッド５が並ぶ第１の方向Ｘにおいて、ガードパッド８と第２のコンタクトパッド７との間の距離Ｘ２は、隣接するコンタクトパッド５間の距離Ｘ１よりも短いことが好ましい。また、第２〜第４の配置例においても第１の配置例と同様に、第２の方向Ｙにおいて、ガードパッド８と第２のコンタクトパッド７との間の距離Ｙ２は、隣接するコンタクトパッド５間の距離Ｙ１よりも短いことが好ましい。
【符号の説明】
【００１８】
１      液体吐出ヘッド
２      記録素子基板
３      電気配線部材
３ａ    電気配線基板
３ｂ    電気接続部
５      コンタクトパッド
７      被保護コンタクトパッド
８      ガードパッド
【図１】
0006700940.tif 000002
【図２】
0006700940.tif 000003
【図３】
0006700940.tif 000004